(57)【要約】【課題】排紙ローラに接触する領域であっても、記録媒体上の未乾燥のインクが排紙ローラに転写することなく、画像記録を行うことを可能とする。【解決手段】排紙ローラ３１５が接触する領域に画像（「あいうえお」）を記録する場合、インクが排紙ローラに転写しない程度に画像を間引き処理を行って記録する。排紙ローラ３１５が接触しない領域に画像（「かきくけこ」）を記録する場合、画像の間引き記録は行わない。記録媒体の搬送速度が可変である場合、搬送速度に応じて間引き率を変更する。【選択図】図６
2008155398.tif 000002
【特許請求の範囲】
【請求項１】
記録媒体上にインクで記録を行う記録システムにおいて、
所定の速度で記録媒体を搬送する搬送手段と、
前記搬送手段により搬送される記録媒体に対し、記録ヘッドにより画像を記録する記録手段と、
前記記録手段により画像が記録された記録媒体を前記記録ヘッドの下流側に配置される排紙ローラにより排出する排出手段と、
前記排紙ローラに接する領域に記録する画像は所定の間引き率で間引き処理を行って記録する間引き手段と
を備えたことを特徴とする記録システム。
【請求項２】
前記搬送手段の搬送速度に応じて、前記間引き手段の間引き率を可変にする制御手段を備えた請求項１記載の記録システム。
【請求項３】
記録媒体上にインクで記録を行う記録装置と付随装置とを備え、
前記搬送手段は、前記付随装置からの回転駆動を受けて記録媒体を搬送することを特徴とする請求項１に記載の記録システム。
【請求項４】
前記付随装置は、記録媒体に記録された画像を読み取る画像読み取り手段を有することを特徴とする請求項３に記載の記録システム。
【請求項５】
前記制御手段は、前記画像読み取り手段の画像読み取り解像度に基づいて搬送速度を可変にすることを特徴とする請求項４に記載の記録システム。
【請求項６】
前記記録手段により記録される画像は、接続されるホスト装置から転送される画像データに基づくことを特徴とする請求項１〜５のいずれかに記載の記録システム。
【請求項７】
前記画像に対して適用される間引き率の異なる複数の間引きパターンを記憶する間引きパターン記憶手段を備え、
前記制御手段は、前記搬送手段の搬送速度に応じて、前記画像に対して適用されるべき間引きパターンを選択する請求項１または６記載の記録システム。
【請求項８】
前記制御手段は、画像の記録される領域が前記排紙ローラに接するか否かをチェックし、接しない画像については間引きを行わない請求項１〜７のいずれかに記載の記録システム。
【請求項９】
画像がインクで記録された記録媒体を記録部の下流側に配置された排紙ローラにより排出する記録装置において、
少なくとも排紙ローラに接する領域に記録する画像は所定の間引き率で間引き処理を行って記録するとともに、記録媒体の搬送速度に応じて、前記間引き処理の間引き率を可変にすることを特徴とする記録装置。
【請求項１０】
画像がインクで記録された記録媒体を記録部の下流側に配置された排紙ローラにより排出する記録装置による記録方法であって、
少なくとも排紙ローラに接する領域に記録する画像は所定の間引き率で間引き処理を行って記録部に記録させるステップと、
記録媒体の搬送速度に応じて、前記間引き処理の間引き率を可変にするステップと
を備えたことを特徴とする記録方法。
【発明の詳細な説明】
【技術分野】
【０００１】
本発明は、記録媒体にインクで画像を記録する記録装置を備えた記録システムに関する。
【背景技術】
【０００２】
従来、インク付着済みの記録媒体を排紙ローラにより排出するタイプのインクジェット記録装置においては、記録媒体上のインクが未乾燥のまま排紙ローラに接触するため、未乾燥のインクが排紙ローラの表面に付着することがある。このような場合、未乾燥のインクがさらに排紙ローラから記録済みの用紙面に再転写されて、記録媒体を直線状筋として汚してしまうことになる。
【０００３】
このような課題を解決するために、従来、排紙ローラが接する領域においては画像の記録ができないよう制限していた。すなわち排紙ローラが接する領域に画像記録が指定された場合、使用者に記録個所を変更するよう通知していた。
【０００４】
また、記録領域内に排紙ローラが配置されないよう排紙ローラを移動可能な構成にした構成も提案されている（特許文献１参照）。
【特許文献１】特開平５−１０４８０２号公報
【発明の開示】
【発明が解決しようとする課題】
【０００５】
上記従来技術においては、記録媒体上の使用者が所望する任意の個所に画像が記録できないという問題があった。
【０００６】
さらに特許文献１に記載の発明では、使用する記録媒体のサイズに応じて排紙ローラの位置を変更するという手間が生じるだけでなく、排紙ローラを移動可能な構成にすることにより装置の製造コストが上昇するという問題があった。
【０００７】
本発明は、上述した点に鑑みなされたものであり、排紙ローラに接触する領域であっても、記録媒体上の未乾燥のインクが排紙ローラに転写することなく、画像記録を行うことを可能とした記録システムを提供することを目的とする。
【課題を解決するための手段】
【０００８】
本発明の記録システムは、記録媒体上にインクで記録を行う記録システムにおいて、所定の速度で記録媒体を搬送する搬送手段と、前記搬送手段により搬送される記録媒体に対し、記録ヘッドにより画像を記録する記録手段と、前記記録手段により画像が記録された記録媒体を前記記録ヘッドの下流側に配置される排紙ローラにより排出する排出手段と、前記排紙ローラに接する領域に記録する画像は所定の間引き率で間引き処理を行って記録する間引き手段とを備えたことを特徴とする。
【０００９】
排紙ローラは記録ヘッドの下流側に配置されているため、記録済みの記録媒体を搬送することになる。したがって、排紙ローラが接する領域に記録する画像のインクが未乾燥であれば排紙ローラに転写され、記録媒体を汚損するおそれが生じるが、本発明では排紙ローラに接する領域に記録する画像は所定の間引き率で間引き処理を行って記録することにより、インク記録領域の実質的なインク濃度を低減し、これによりインクの乾燥を早めて排紙ローラに対するインクの転写を防止する。
【００１０】
また、記録媒体の搬送速度が変わる場合には、搬送速度に応じてインク乾燥に要する許容時間が変わるので、搬送速度に応じて間引き率を可変にする制御を行う。
【００１１】
記録システムは、さらに、前記画像に対して適用される間引き率の異なる複数の間引きパターンを記憶する間引きパターン記憶手段を備え、前記制御手段は、前記搬送手段の搬送速度に応じて、前記画像に対して適用されるべき間引きパターンを選択するようにしてもよい。間引きパターンの利用により画像データとの論理積処理で容易に間引き処理を行うことができる。
【００１２】
前記制御手段は、画像の記録される領域が前記排紙ローラに接するか否かをチェックし、接しない画像については間引きを行わないようにすることができる。これにより、すべての画像に対して画一的に間引き処理を行う弊害をなくし、不要な処理を省略することができる。
【００１３】
前記ホスト装置から受信した画像がイメージである場合、前記排紙ローラに接する領域の画像について前記ホスト装置側で間引き処理が行われている画像データを受信し、前記制御手段による間引き処理は行わないようにすることも可能である。
【００１４】
本発明による記録装置は、画像がインクで記録された記録媒体を記録部の下流側に配置された排紙ローラにより排出する記録装置において、少なくとも排紙ローラに接する領域に記録する画像は所定の間引き率で間引き処理を行って記録するとともに、記録媒体の搬送速度に応じて、前記間引き処理の間引き率を可変にすることを特徴とする。
【００１５】
本発明による記録方法は、画像がインクで記録された記録媒体を記録部の下流側に配置された排紙ローラにより排出する記録装置による記録方法であって、少なくとも排紙ローラに接する領域に記録する画像は所定の間引き率で間引き処理を行って記録部に記録させるステップと、記録媒体の搬送速度に応じて、前記間引き処理の間引き率を可変にするステップとを備えたことを特徴とする。
【発明の効果】
【００１６】
本発明によれば、装置コストを増加させることなく、また、排紙ローラに接触する領域か否かによらず、記録媒体上の未乾燥のインクが排紙ローラに転写することなく、使用者が記録媒体上の所望の個所に画像を記録できる。
【発明を実施するための最良の形態】
【００１７】
以下、図面を参照して本発明の記録システムに係る実施の形態について詳細に説明する。
【００１８】
（第１の実施の形態）
本実施の形態ではドキュメントスキャナ（以下「スキャナ」という）にオプション機器であるプリンタ（すなわち記録装置）を接続した記録システムについて説明する。逆に、記録装置から見た場合、スキャナはその「付随装置」を構成している。
【００１９】
図１は、このような記録システムにホストコンピュータ（ホスト装置）を接続した構成を示している。ホストコンピュータ１００は、キーボード１０２およびマウス１０３を入力手段として、かつディスプレイを表示手段として備えており、通常のパーソナルコンピュータ（ＰＣ）であってよい。スキャナ１０５は、本実施の形態では、プリンタ１０６と電気的および機械的に結合されている。スキャナ１０５が読み取った原稿の画像データはインタフェースケーブル１０４を介してホストコンピュータ１００に送信される。
【００２０】
スキャナ１０５は、プリンタケーブル１０７を介して、後述する制御コマンドの送受信を行うことにより、プリンタ１０６をコントロールする。さらにスキャナ１０５は、プリンタケーブル１０７を介してプリンタ１０６への電源供給も行う。
【００２１】
図２は、本実施の形態で使用するホストコンピュータ１００の概略構成を示すブロック図である。
【００２２】
ホストコンピュータ１００は、キーボード１０２やマウス１０３とはそれぞれキーボードインタフェース２０２とマウスインタフェース２０３を介して接続され、ディスプレイ１０１とはビデオコントローラ２０１を介して接続されている。また、ホストコンピュータ１００は、その各部の制御を司る制御手段であるＭＰＵ（Micro Processor Unit)２００を備える。このＭＰＵ２００は、大容量の外部記憶装置の一例としてのハードディスク装置（ＨＤＤ）２０６に記憶してあるアプリケーションソフトやドライバをＲＡＭ２０５に読み出して実行する。これにより、スキャナ１０５に画像読み取り開始コマンド制御コマンド（後述）を送信し、さらにスキャナ１０５から読み取った原稿の画像データを受信、解析し、ハードディスク２０６に格納する処理、および、プリンタ１０６により原稿表面に記録する為のＲＡＭ２０５に格納された記録情報を後述する制御コマンドに変換し、外部インタフェース２０４を介してインタフェースケーブル１０４に出力する処理等を実行する。
【００２３】
図３は、スキャナ１０５とプリンタ１０６とが結合されている状態の記録システムの側部断面図である。スキャナ１０５には、ピックアップモータ（不図示）の駆動により回転して、給紙トレイ３０１に積載された原稿３００を分離して給送するピックアップローラ３０２と、給紙トレイ３０１の原稿の有無を検知する原稿有無検知センサ３１３と、給送された読取原稿３００を搬送モータ（不図示）の駆動を受けて回転することにより搬送する排紙ローラ３０３と、原稿の位置を検出する原稿位置検出センサ３０４と、このセンサ３０４で検出した原稿の位置を基に原稿の上面のイメージを読み取るイメージセンサ３０５と、原稿の下面のイメージを読み取るイメージセンサ３０６と、原稿の排出方向を決定するフラッパ３０８と、排紙した原稿を積載する排紙トレイ３１０とを装備している。フラッパ３０８は、搬送経路を切り替える為に手動レバー（不図示）により、読み取った原稿をプリンタ１０６側にストレート排紙を行うか、プリンタ１０６を経由せずに排紙トレイ３１０にＵターン排紙を行うかを切り替えて選択することが出来る。本実施の形態の場合、読み取った原稿上にプリンタ１０６において画像を記録する為には、ストレート排紙を選択する。本実施の形態におけるイメージセンサ３０５，３０６は最大６００ｄｐｉの解像度で画像読み取りが可能である。
【００２４】
プリンタ１０６自体は、原稿を搬送するための駆動源は有さず、ギア（不図示）を経由してスキャナ１０５から搬送駆動力を供給される。この為、スキャナ１０５の搬送モータが駆動されれば、プリンタ１０６内の搬送ローラ３１４および排紙ローラ３１５が回転し、スキャナ１０５から排紙される原稿を排紙トレイ３１０に向けて搬送する。さらにプリンタ１０６には、原稿の位置を検出する位置検出センサ３０９と、原稿に記録を行う記録ヘッド３１１および記録用のインクを貯蔵するインクタンク３０７を装備するキャリッジユニット３１２を有する。
【００２５】
プリンタ１０６において、位置検出センサ３０９が原稿３００を検出すると、後述するコントローラによりその位置が管理され、記録位置に到達すると、インクタンク３０７から供給されるインクを記録ヘッド３１１が吐出し原稿３００上に記録を行う。記録ヘッド３１１はインクを吐出する多数（この例では６０８個）のノズル（不図示）が所定の解像度（この例では６００ｄｐｉ）で配置されており、１回の走査で所定幅（この例では１インチ幅）の画像を記録することができる。画像が記録された原稿は、その両面から排紙ローラ３１５に挟持され、排紙トレイ３１０に搬送される。
【００２６】
図４は、スキャナ１０５とプリンタ１０６が接続されている状態の記録システムの上部断面図である。記録ヘッド３１１とインクタンク３０７とを含むキャリッジユニット３１２は、キャリッジシャフト４０２に支持された状態で、キャリッジ駆動ベルト４０３に固定されてキャリッジモータ４０１による駆動を受け、矢印で示されるキャリッジ移動方向に移動可能となっている。キャリッジユニット３１２は、後述する水平座標指定ボックスで指定された位置に移動し、搬送される原稿に記録処理を行う。図中のキャリッジユニット３１２はホームポジションにある状態を示し、記録を行わない時はこの位置で待機する。なお、ホームポジションでは大気中のゴミが記録ヘッド３１１のノズルに付着して吐出不良が発生することを防止するため、記録ヘッド３１１のノズルは回復ユニット（不図示）で覆われている。
【００２７】
図５は、本実施の形態で使用するホストコンピュータ１００に接続されたディスプレイ１０１に表示される、ドライバの記録情報設定画面５００の一例を示している。操作者は、この設定画面５００によりスキャナ１０５の読み取り解像度、およびプリンタ１０６により原稿に記録する記録情報を設定する。図５の例における記録情報であるテキストはテキスト設定ボックス５０１において任意の文字が設定可能である。スキャン解像度設定ボックス５０２はスキャナ１０５が原稿を読み取る際のスキャン解像度を設定するための入力欄である。水平座標設定ボックス５０３および垂直座標設定ボックス５０４は、テキスト設定ボックス５０１で設定されたテキストの原稿に対する記録位置を指定するための水平座標および垂直座標を設定するための入力欄である。スタート指示ボックス５０５は、マウス１０３等を用いて、スキャナ１０５に読み取り動作の開始を指示するための指示ボタンである。
【００２８】
図６は本実施の形態で使用するプリンタ１０６の記録位置と排紙ローラ３１５の関係を説明するための模式図である。本実施の形態で使用するスキャナがサポートする原稿の最大幅サイズは２９７ｍｍであり、記録位置はこの最大サイズの原稿の左上端を水平座標および垂直座標の原点とし、矢印で示される水平方向にミリメートル単位で設定される。記録画像６０１は、最大幅サイズである２９７ｍｍの原稿に対し、左上端を基点として記録したテキスト「あいうえお」である。これは、水平座標設定ボックス５０３および垂直座標設定ボックス５０４で、（水平座標、垂直座標）ともに（０、０）と設定された場合に相当する。記録ヘッドにより原稿上に記録された記録画像６０１は、計４対ある幅１０ｍｍの排紙ローラ３１５のうち、１対と接して搬送されることになる。
【００２９】
同様に、記録画像６０２は、最大幅サイズである２９７ｍｍの原稿に対し、左上端から水平方向に２００ｍｍ、垂直方向に１００ｍｍの位置に記録されたテキスト「かきくけこ」である。これは水平座標設定ボックス５０３および垂直座標設定ボックス５０４で、水平座標、垂直座標を（１００，２００）と設定された場合に相当する。記録画像６０２は４対ある排紙ローラ３１５のうち図の右側の２個の中間に位置するため、何れの排紙ローラにも接することはない。  
【００３０】
図７は本実施の形態で使用する種々の制御コマンドの構造を示している。これらの制御コマンドは、インタフェースケーブル１０４を介してホストコンピュータ１００とスキャナ１０５間を送受信される制御コマンド、およびプリンタケーブル１０７を介してスキャナ１０５とプリンタ１０６間で送受信される制御コマンドである。
【００３１】
図７（ａ）のテキストデータコマンド７１は、ホストコンピュータ１００からスキャナ１０５を経由してプリンタ１０６に送信され、プリンタ１０６で原稿に記録する記録情報を通知する制御コマンドであり、識別コード７０１に加えてデータ長７０８およびテキストデータ７０９を有する。
【００３２】
図７（ｂ）の記録座標コマンド７２は、ホストコンピュータ１００からスキャナ１０５を経由してプリンタ１０６に送信される制御コマンドであり、識別コード７０２に加えて、水平座標７１０および垂直座標７１１を含む。
【００３３】
図７（ｃ）の記録開始コマンド７３は、スキャナ１０５からプリンタ１０６に送信され、記録開始タイミングを通知する制御コマンドである。この制御コマンドは識別コード７０３のみからなる。
【００３４】
図７（ｄ）の原稿読み取り開始コマンド７４は、読み取り解像度７１３で設定された解像度で原稿の読み取り開始を通知するコマンドであり、ホストコンピュータ１００からスキャナ１０５に送信される。識別コード７０４に加えて、読み取り解像度７１３を含む。
【００３５】
図７（ｅ）の原稿読み取りデータコマンド７５は、スキャナ１０５が原稿を読み取ったイメージデータであり、スキャナ１０５からホストコンピュータ１００に送信される。識別コード７０５に加えて、データ長７１４および画像データ７１５を含む。
【００３６】
図７（ｆ）は、センサステータスコマンド７６はプリンタ１０６の位置検出センサ３０９の出力状態をステータスとして通知する制御コマンドであり、プリンタ１０６からスキャナ１０５に定期的に送信する。識別コード７０６に加えてセンサ情報７１６を含む。
【００３７】
図７（ｇ）の搬送速度通知コマンド７７は、スキャナ１０５からプリンタ１０６に送信され、プリンタ１０６に搬送速度を通知するコマンドである。識別コード７０７に加えて搬送速度７１７を含む。
【００３８】
図８は本実施の形態におけるスキャナ１０５とプリンタ１０６の内部構成を示すブロック図である。
【００３９】
プリンタ１０６のコントローラ８０９は、ＲＯＭ８１４に格納された制御プログラムを、ＲＡＭ８１１を使用して実行することにより以下の制御を実現する。
【００４０】
プリンタ１０６のコントローラ８０９はスキャナ通信部８１０を経由してスキャナ１０５から、上述した搬送速度通知コマンド７７、テキストデータコマンド７１、記録開始コマンド７３を受信し、位置検出センサ３０９を含む原稿位置検出部８１２の出力を定期的に読み取り、そのステータス情報をセンサステータスコマンド７６としてスキャナ１０５へ送信する。
【００４１】
プリンタ１０６のコントローラ８０９は、続いて記録座標コマンド７２を受信すると、キャリッジユニット移動部８１５を制御することにより、キャリッジユニット３１２を記録座標コマンド７２で示される水平座標７１０位置に移動させる。さらにコントローラ８０９は受信した搬送速度通知コマンド７７および記録座標コマンド７２に応じて、後述する方法で選択する間引きパターンをＲＡＭ８１１に展開する。さらにテキストデータコマンド７１を受信すると、当該テキストに対応するフォントデータをＲＯＭ８１４から読出し、ＲＡＭ８１１にビットマップ展開する。さらに記録開始コマンド７３を受信すると、記録部８１３を制御してＲＡＭ８１１に展開されたビットマップ画像とＲＡＭ８１１に展開された間引きパターンとの論理積を記録部８１３に転送し、原稿３００に記録を開始する。
【００４２】
スキャナ１０５のコントローラ８００は、ＲＯＭ８０１に格納された制御プログラムを、ＲＡＭ８０４を使用して実行することにより以下の制御を実現する。
【００４３】
すなわち、スキャナ１０５のコントローラ８００はホスト通信部８０６を経由してホストコンピュータ１００から受信したテキストデータコマンド７１を、プリンタ通信部８０７を経由してプリンタ１０６に送信する。さらにコントローラ８００は、給紙モータ（不図示）を含む原稿給紙部８０８を制御する。これにより給紙トレイ３０１上の原稿３００を分離および給送する。また、コントローラ８００が読み取り解像度７１３で設定される読み取り解像度を基に搬送速度テーブル１６００（図１６で後述）から搬送速度を選択し、搬送モータ（不図示）を含む原稿搬送部８０２により、当該搬送速度で原稿３００を搬送する。原稿位置検出センサ３０４を含む原稿位置検出部８０３は、原稿搬送部８０２により搬送された原稿３００の位置を検出する。続いてコントローラ８００は、原稿位置検出部８０３により検出した原稿位置に基づき、表裏原稿イメージセンサ３０５，３０６を含む原稿読み取り部８０５により、原稿３００に形成されている画像を読み取り、この読み取った画像データをホスト通信部８０６を経由してホストコンピュータ１００へ送信する。
【００４４】
さらにコントローラ８００は、プリンタ１０６から受信したセンサステータスコマンド７６により原稿の位置を検知すると、原稿３００が記録座標コマンド７２の垂直座標７１１で示される位置まで搬送されるのを待って、記録開始コマンド７３をプリンタ１０６に送信する。このようにして、プリンタ１０６による記録を実現する。
【００４５】
図９は本実施の形態におけるスキャナ１０５の画像読み取り処理の一例を示すフローチャートである。この処理は、コントローラ８００がＲＯＭ８０１に格納された制御プログラムを、ＲＡＭ８０４を使用して実行することにより実現される。
【００４６】
まずスキャナ１０５の電源が投入され初期化動作が完了すると、読み取り開始コマンド原稿読み取り開始コマンド７４を受信するのを待つ（Ｓ１０１，ＮＯ）。読み取り開始コマンドを受信すると（Ｓ１０１，ＹＥＳ）、読み取り解像度７１３をパラメータとして搬送速度テーブル１６００（図１６で後述）から搬送速度を算出し（Ｓ１０２）、搬送を開始すると共に（Ｓ１０３）、プリンタ１０６に搬送速度通知コマンド７７を送信する（Ｓ１０４）。続いて給紙トレイ３０１の原稿３００を１枚分離し、給送する（Ｓ１０５）。原稿３００が所定位置に搬送されるのを待ち、画像読み取り処理により原稿の読み取りを行い、読み取ったデータを原稿読み取りデータコマンド７５に変換してホストコンピュータ１００に送信する（Ｓ１０６）。さらに給紙トレイ３０１に原稿３００が有る場合（Ｓ１０７，ＮＯ）、ステップＳ１０５へ戻って給紙トレイ３０１の原稿３００を１枚給紙する。これらの動作を給紙トレイ３０１に原稿３００が無くなるまで繰り返し行う。原稿３００が無くなった場合（Ｓ１０７，ＹＥＳ）、搬送中の原稿を排紙トレイ３１０まで排紙し（Ｓ１０８）、搬送を停止する（Ｓ１０９）。その後、ステップＳ１０１に戻る。
【００４７】
図１０は本実施の形態におけるホストコンピュータ１００のスキャナ制御処理の一例を示すフローチャートである。この処理は、ハードディスク２０６に格納されたドライバを、ＭＰＵ２００がＲＡＭ２０５を使用して実行することにより実現される。
【００４８】
操作者がドライバの記録情報設定画面５００にて各記録設定を行い、スタート指示ボックス５０５の押下により記録開始の指示を行うと、スキャナ１０５に原稿読み取り開始コマンド７４を送信する（Ｓ２０１）。続いてスキャナ１０５から１頁分の画像データが格納された原稿読み取りデータコマンド７５を受信すると（Ｓ２０２，ＹＥＳ）、テキスト設定ボックス５０１で設定されるテキストをテキストデータコマンド７１に変換して、スキャナ１０５に送信する（Ｓ２０３）。さらに水平座標設定ボックス５０３および垂直座標設定ボックス５０４で設定された記録位置を記録座標コマンド７２に変換し、スキャナ１０５に送信する（Ｓ２０４）。
【００４９】
図１１は本実施の形態におけるスキャナ１０５のプリンタ制御処理の一例を示すフローチャートである。この処理は、スキャナ１０５のコントローラ８００が、ＲＯＭ８０１に格納された制御プログラムを、ＲＡＭ８０４を使用して実行することにより実現される。本処理は、画像読み取り処理から起動されると、画像読み取り処理とタイムシェアリングにより並列実行される。
【００５０】
まず、ホストコンピュータ１００から原稿読み取り開始コマンド７４を受信しているかチェックし（Ｓ３０１）、受信していれば（Ｓ３０１，ＹＥＳ）、搬送速度通知コマンド７７をプリンタ１０６に送信する（Ｓ３０２）。続いてテキストデータコマンド７１を受信しているかどうかチェックし（Ｓ３０３）、受信している場合（Ｓ３０３，ＹＥＳ）は、テキストデータコマンド７１をプリンタ１０６送信する（Ｓ３０４）。記録座標コマンド７２を受信していれば（Ｓ３０５，ＹＥＳ）、記録座標コマンド７２を送信する（Ｓ３０６）。続いてセンサステータスコマンド７６を受信することにより原稿３００の先端が位置検出センサ３０９に到達したのを検知すると（Ｓ３０７，ＹＥＳ）、さらに原稿が記録位置まで搬送されるのを待つ（Ｓ３０８）。原稿が記録位置に到達すると（Ｓ３０８，ＹＥＳ）、記録開始コマンド７３を送信し（Ｓ３０９）、次の原稿を待つ（Ｓ３０３）。
【００５１】
図１２は本実施の形態におけるプリンタの制御コマンド受信処理の一例を示すフローチャートである。この処理は、プリンタ１０６のコントローラ８０９が、ＲＯＭ８１４に格納された制御プログラムをＲＡＭ８１１を使用して実行することにより実現される。電源が投入され初期化動作が完了すると、本処理が起動される。
【００５２】
スキャナ１０５から制御コマンドを受信すると（Ｓ４０１，ＹＥＳ）、以下のように、コマンド解析を行い、コマンドに対応した処理を行う。受信した制御コマンドが搬送速度通知コマンド７７の場合（Ｓ４０２，ＹＥＳ）、搬送速度記憶処理にてＲＡＭ８１１に搬送速度を記憶する（Ｓ４０６）。テキストデータコマンド７１の場合（Ｓ４０３，ＹＥＳ）、テキストデータ展開処理にてＲＯＭ８１４より対応するフォントデータを読出しＲＡＭ８１１にビットマップ展開する（Ｓ４０７）。受信したコマンドが記録座標コマンド７２の場合（Ｓ４０４，ＹＥＳ）、記録座標変更処理（Ｓ４０８）にて水平座標パラメータ７１０（図７（ｂ））で示される位置まで、キャリッジユニット移動部８１５によりキャリッジユニット３１２を移動させる。続いて後述する間引きパターン選択処理（Ｓ４０９）にて、間引きパターンをＲＡＭ８１１にビットマップ展開する。さらに受信した制御コマンドが記録開始コマンド７３の場合（Ｓ４０５，ＹＥＳ）は記録処理にて記録ヘッド３１１を駆動して記録を行う（Ｓ４１０）。
【００５３】
図１３は本実施の形態における記録システムの記録データ間引き処理を説明するための模式図である。図１３（ａ）（ｂ）（ｃ）は、それぞれ共通の記録画像１３００に対して異なる間引きパターン１３０１，１３０３，１３０５を適用した結果としての記録画像１３０２，１３０４，１３０６を示している。
【００５４】
記録画像１３００は、プリンタ１０６により原稿に記録された場合の記録画像の一部を拡大した様子を示す模式的に示した図である。原稿上に吐出されたインク滴の一部が隣接するインク滴と重なることにより、原稿上の記録領域が隙間なくインクで満たされた画像が形成されている。間引きパターン１３０１，１３０３は、この例では、水平方向および垂直方向がともに４ドットから形成されている。図では白マスが間引かれる記録ドットを示し、黒マスが残される記録ドットを示している。これらの間引きパターンは、プログラムＲＯＭ８１４に格納されているデータをＲＡＭ８１１に展開したものである。記録画像１３００は間引き率７５％の間引きパターン１３０１と論理積演算されることにより、７５％の間引きが行われ（２５％残存）、記録画像１３０２に変換される。記録画像１３００は間引き率５０％の間引きパターン１３０３が適用された場合には、５０％の間引きが行われ、記録画像１３０４に変換される。間引き率０％の間引きパターン１３０５は、記録画像１３００に適用されてその論理積が取られても元の記録画像１３００と同じ記録画像１３０６が得られる
【００５５】
図１４は本実施の形態における記録システムの、搬送速度と間引きパターンの関係を示す間引きパターンテーブル１４００の説明図である。前述した通り、プリンタ１０６は記録ヘッド３１１の下流に排紙ローラ３１５が配置されているため、原稿上に吐出されたインクが定着しない状態で排紙ローラ３１５に接すると、インクが排紙ローラ３１５に転写してしまうおそれがある。そこで、本実施の形態では、搬送速度に応じて間引き率を変えることとする。例えば、搬送速度が３００ｍｍ／ｓｅｃ、および２４０ｍｍ／ｓｅｃの場合は間引き率７５％の間引き記録を行い、搬送速度が１２０ｍｍ／ｓｅｃ、および９０ｍｍ／ｓｅｃの場合は間引き率５０％の間引き記録を行う。このように搬送速度が速いほど、インクの乾燥が間に合わない可能性が高くなるので、間引き率を大きく設定する。これにより、排紙ローラ３１５へのインクの転写が防止されることが実験の結果より確認された。
【００５６】
よって、搬送速度に応じて間引きパターンを選択し、この選択した間引きパターンとＲＡＭ８１１にビットマップ展開されたイメージデータとの論理積演算を行い、この論理積演算により得られたイメージデータを原稿に記録する。つまり搬送速度が３００ｍｍ／ｓｅｃまたは２４０ｍｍ／ｓｅｃの場合は間引き率７５％の間引きパターン１３０１を選択し、搬送速度が１２０ｍｍ／ｓｅｃまたは９０ｍｍ／ｓｅｃの場合は間引き率５０％の間引きパターン１３０３を選択する。また、記録画像が排紙ローラ３１５に重ならない場合は、インクが転写することがないので間引き率０％の間引きパターン１３０５を選択する。
【００５７】
図１５は、図１２のステップＳ４０９に対応する記録システムの間引きパターン選択処理の一例を示すフローチャートである。この処理は、プリンタ１０６がスキャナ１０５から記録座標コマンド７２を受信した際（Ｓ５０１）に起動される。まず、プリンタ１０６がスキャナ１０５より受信した記録座標コマンド７２の水平座標パラメータ７１０から、記録画像が排紙ローラ３１５と重なる位置であるかチェックし（Ｓ５０２）、重ならなければ（Ｓ５０２，ＮＯ）、間引き率０％のマスクパターン１３０５をＲＡＭ８１１に展開する（Ｓ５０５）。重なる場合（Ｓ５０２，ＹＥＳ）は、搬送速度通知コマンド７７で通知された搬送速度に基づいて、この搬送速度に応じた間引きパターンを間引きパターンテーブル１４００から選択する（Ｓ５０４）。
【００５８】
図１６は本実施の形態で使用するスキャナ１０５の読み取り解像度と原稿搬送速度の関係を示す搬送速度テーブル１６００の説明図である。スキャナ１０５は、搬送速度を可変にすることにより、１００〜６００ｄｐｉの範囲で画像の読み取りを可能にしている。すなわち搬送速度を遅くすることにより高い解像度での読み取りを可能とし、読み取り解像度が低い場合は、搬送速度を速くすることによりスループットを向上している。
【００５９】
以上説明したように本実施の形態では、原稿の搬送速度に応じた間引き率を選択し、ビットマップバッファに展開した画像データと間引きパターンとの論理積を取り、間引き記録を行うことにより、記録情報が排紙ローラに位置する個所に指定されても、所望の画像が記録可能である。
【００６０】
本実施の形態の記録システムで使用した間引きパターンは一例であり、様々な間引きパターンにより様々な割合で間引き処理を行うことができる。
【００６１】
（第２の実施の形態）
以下、本発明の第２の実施の形態について説明する。この第２の実施の形態で使用する記録システムの構成は、第１の実施の形態と同様であるため、その説明は省略する。
【００６２】
図１７は、第２の実施の形態で使用するドライバの記録情報設定画面１７００の説明図である。第１の実施の形態における図５に示した記録情報設定画面５００と同様の要素には同じ参照符号を付してある。操作者は、この設定画面１７００により、スキャナ１０５の読み取り解像度、およびプリンタ１０６により原稿に記録される記録情報を設定する。この設定画面１７００で設定された情報は、制御コマンドに変換されプリンタ１０６に送信される。記録情報であるイメージ画像はイメージ設定ボックス１７０１において任意のイメージ画像が設定可能である。スキャン解像度設定ボックス５０２はスキャナ１０５が原稿をスキャンする際の解像度を設定する。水平座標設定ボックス５０３および垂直座標設定ボックス５０４は、イメージ設定ボックス１７０１で設定されたイメージ画像の原稿に対する記録位置を指定するための水平座標および垂直座標の入力欄である。スタート指示ボックス５０５は、マウス１０３等を用いて、スキャナ１０５に画像読み取り動作の開始を指示するための指示ボタンである。
【００６３】
図１８は本実施の形態で使用するドライバの間引き処理のフローを示すフローチャートである。この処理は、ホストコンピュータ１００のハードディスク２０６に格納されたドライバを、ＭＰＵ２００がＲＡＭ２０５を使用して実行することにより実現される。
【００６４】
スタート指示ボックス５０５に動作開始が指示された際、まず、水平座標設定ボックス５０３で指定された水平記録座標から、記録画像が排紙ローラ３１５と重なる位置であるかチェックし（Ｓ６０２）、重なる場合（Ｓ６０２，ＹＥＳ）はスキャン解像度設定ボックス５０２で設定された読み取り解像度を基に搬送速度テーブル１６００から搬送速度を取得する（Ｓ６０３）。続いて、間引きパターンテーブル１４００から搬送速度に対応する間引きパターンを選択し、選択された間引きパターンとイメージ画像データの論理積を取ることにより、イメージ画像を間引く（Ｓ６０４）。間引かれたイメージ画像は、後述する図１９（ａ）のイメージデータコマンドに格納され、プリンタ１０６に送信される。
【００６５】
図１９に、本実施の形態で使用する種々の制御コマンドの構造を示す。図１９において、図７に示した要素と同様の要素には同じ参照符号を付して、重複した説明を省略する。図７と異なるのは、図７（ａ）のテキストデータコマンド７１に代えて、図１９（ａ）のイメージデータコマンド１９０が利用されることである。イメージデータコマンド１９０は、識別コード１９１に加えて、イメージデータ１９３およびそのデータ長１９２を含む。
【００６６】
図２０は、本実施の形態におけるプリンタの制御コマンド受信処理を示すフローチャートである。この処理は、プリンタ１０６のコントローラ８０９が、ＲＯＭ８１４に格納された制御プログラムを、ＲＡＭ８１１を使用して実行することにより実現される。電源が投入され初期化動作が完了すると、本処理が起動される。
【００６７】
起動後、スキャナ１０５から制御コマンドを受信すると（Ｓ７０１，ＹＥＳ）、以下のコマンド解析を行い、コマンドに対応した処理を行う。
【００６８】
受信した制御コマンドが図１９（ａ）のイメージデータコマンド１９０の場合（Ｓ７０２，ＹＥＳ）、受信したイメージデータをＲＡＭ８１１にビットマップ展開する（Ｓ７０５）。受信したコマンドが記録座標コマンド７２の場合は（Ｓ７０３，ＹＥＳ）、記録座標変更処理（Ｓ７０６）にて水平座標パラメータ７１０で示される位置までキャリッジユニット３１２をキャリッジユニット移動部８１５により移動させる。受信した制御コマンドが図１９（ｃ）の記録開始コマンド７３の場合（Ｓ７０４，ＹＥＳ）は、記録処理（Ｓ７０７）にて記録ヘッド３１１を駆動して記録を行う。
【００６９】
以上説明したように本実施の形態では、排紙ローラが位置する個所に画像記録が指示された場合、ホストコンピュータ１００のドライバにおいて、読み取り解像度に応じて可変にする搬送速度に適する間引き率を選択し、選択された間引き率で画像データを間引き、さらに間引かれた画像データを記録システムに送信することにより間引き記録を行う。
【００７０】
いずれの実施の形態においても、記録ヘッドの下流に装備される排紙ローラにより、記録済みの記録媒体を搬出する記録システムにおいて、排紙ローラと接する個所に画像記録が指定された場合であっても、記録画像を搬送速度応じて間引き処理を行って記録を行うことにより、未乾燥インクが排紙ローラへ転写することなく、所望の個所に画像を記録できる。
【００７１】
以上、本発明の好適な実施の形態について説明したが、上記で言及した以外にも種々の変形、変更を行うことが可能である。
【００７２】
例えば、第１の実施の形態では記録画像としてテキストを例に挙げ、第２の実施の形態ではイメージ（バーコード等を含む）を例に挙げて説明したが、テキストとイメージとを選択的に切り換えて設定を行うようにしてもよい。あるいは、図５と図１７の設定画面を一つの画面上に混在させて、テキストとイメージをそれぞれの設定位置に同時に記録するようにしてもよい。また、搬送速度によって間引き率を変更する例を示したが、搬送速度が一定であれば間引き率は固定であってもよい。
【００７３】
また、ドキュメントスキャナに記録装置を接続した記録システムについて説明したが、本発明は記録装置単独の記録システムに適用することも可能である。
第２の実施の形態では間引き処理をホストコンピュータ１００側で行うようにしたが、プリンタ側で実行することも可能である。
【図面の簡単な説明】
【００７４】
【図１】本発明の実施の形態に係る記録システムの構成を示した図である。
【図２】本発明の実施の形態で使用するホストコンピュータの概略構成を示すブロック図である。
【図３】本発明の実施の形態の記録システムの側部断面図である。
【図４】本発明の実施の形態の記録システムの上部断面図である。
【図５】本発明の実施の形態でにおける記録情報設定画面の一例を示す図である。
【図６】本発明の実施の形態で使用するプリンタの記録位置と排紙ローラの関係を説明するための模式図である。
【図７】本発明の実施の形態で使用する種々の制御コマンドの構造を示す図である。
【図８】本発明の実施の形態におけるスキャナとプリンタの内部構成を示すブロック図である。
【図９】本発明の実施の形態におけるスキャナの画像読み取り処理の一例を示すフローチャートである。
【図１０】本発明の実施の形態におけるホストコンピュータのスキャナ制御処理の一例を示すフローチャートである。
【図１１】本発明の実施の形態におけるスキャナのプリンタ制御処理の一例を示すフローチャートである。
【図１２】本発明の実施の形態におけるプリンタの制御コマンド受信処理の一例を示すフローチャートである。
【図１３】本発明の実施の形態における記録システムの記録データ間引き処理を説明するための模式図である。
【図１４】本発明の実施の形態における記録システムの、搬送速度と間引きパターンの関係を示す間引きパターンテーブルの説明図である。
【図１５】図１２のステップＳ４０９に対応する記録システムの間引きパターン選択処理の一例を示すフローチャートである。
【図１６】本発明の実施の形態で使用するスキャナの読み取り解像度と原稿搬送速度の関係を示す搬送速度テーブルの構成を示す図である。
【図１７】本発明の第２の実施の形態で使用するドライバの記録情報設定画面の説明図である。
【図１８】本発明の第２の実施の形態で使用するドライバの間引き処理のフローを示すフローチャートである。
【図１９】本発明の第２の実施の形態で使用する種々の制御コマンドの構造を示す図である。
【図２０】本発明の第２の実施の形態におけるプリンタの制御コマンド受信処理を示すフローチャートである。
【符号の説明】
【００７５】
１００…ホストコンピュータ
１０１…ディスプレイ
１０５…スキャナ
１０６…プリンタ
１０７…プリンタケーブル
１９０…イメージデータコマンド
３００…原稿
３０１…給紙トレイ
３０２…ピックアップローラ
３０３…搬送ローラ
３０４…原稿位置検出センサ
３０５，３０６…イメージセンサ
３０７…インクタンク
３０８…フラッパ
３０９…位置検出センサ
３１０…排紙トレイ
３１１…記録ヘッド
３１２…キャリッジユニット
３１３…原稿有無検知センサ
３１４…搬送ローラ
３１５…排紙ローラ
５００…記録情報設定画面
５０１…テキスト設定ボックス
５０２…スキャン解像度設定ボックス
５０３…水平座標設定ボックス
５０４…垂直座標設定ボックス
５０５…スタート指示ボックス
６０１，６０２…記録画像
８００…コントローラ
８０２…原稿搬送部
８０３…原稿位置検出部
８０５…原稿読み取り部
８０６…ホスト通信部
８０７…プリンタ通信部
８０８…原稿給紙部
８０９…コントローラ
８１０…スキャナ通信部
８１２…原稿位置検出部
８１３…記録部
８１５…キャリッジユニット移動部
１３００…記録画像
１３０１，１３０３，１３０５…間引きパターン
１３０２，１３０４，１３０６…記録画像
１４００…間引きパターンテーブル
１６００…搬送速度テーブル
１７００…記録情報設定画面
１７０１…イメージ設定ボックス
【図２】
2008155398.tif 000003
【図３】
2008155398.tif 000004
【図４】
2008155398.tif 000005
【図６】
2008155398.tif 000006
【図７】
2008155398.tif 000007
【図８】
2008155398.tif 000008
【図９】
2008155398.tif 000009
【図１０】
2008155398.tif 000010
【図１１】
2008155398.tif 000011
【図１２】
2008155398.tif 000012
【図１３】
2008155398.tif 000013
【図１４】
2008155398.tif 000014
【図１５】
2008155398.tif 000015
【図１６】
2008155398.tif 000016
【図１８】
2008155398.tif 000017
【図１９】
2008155398.tif 000018
【図２０】
2008155398.tif 000019
【図１】
2008155398.tif 000020
【図５】
2008155398.tif 000021
【図１７】
2008155398.tif 000022